(57)【要約】【課題】  電極端子となるバネ性の接触片の組み付けが簡単，容易であり、部品点数を削減することができ、組み立てを容易に行える充電器を提供すること【解決手段】  上ケース１，下ケース２の内部に回路基板３，コイルバネ端子４を組み付ける。コイルバネ端子４はコイル部４０の一方端を鉤状に曲げ加工して接続端４１とし、他方端は２段に折り曲げて突起形状の接触片４２とする。下ケース２の底面に凹部２０を形成してコイル部４０を嵌め込ませる。凹部２０には、一方の壁にコイル部４０と嵌め合うガイド軸２１を形成し、ガイド軸２１に隣接する両側の壁に、コイル４０部から延びる延線部位と嵌め合う溝２２，２３をそれぞれ形成する。この凹部２０によりコイルバネ端子４を所定の立ち姿勢に保持し、上側に回路基板３を組み付けて接続端４１をはんだ付けし、上ケース１を被せて組み付けし、長孔１１から接触片４２が突き出る状態にする。【選択図】        図１
2006067717.tif 000002
【特許請求の範囲】
【請求項１】
電池パックや携帯電話機などの充電対象を着脱可能に装着し、バネ性の接触片を前記充電対象の電極端子と接触させて２次電池に充電を行う充電器であって、
前記接触片を突き出させるための長孔を前記電極端子との対応位置に有する上ケースと、回路基板と、前記回路基板を組み付けする下ケースと、コイル部の一方端が鉤状の接続端であり他方端に前記接触片を有するコイルバネ端子とを備えて、
前記下ケースの底面に前記コイル部を嵌め込む凹部を形成し、
前記凹部には、一方の壁に前記コイル部と嵌め合うガイド軸を形成するとともに、前記ガイド軸に隣接する両側の壁に、前記コイル部から延びる延線部位と嵌め合う溝をそれぞれ形成し、
前記ガイド軸の外形状が、前記コイル部の内周と非接触部分が生じ、その非接触部分と前記コイル部との間に所定の空間が形成されるようにしたことを特徴とする充電器。
【請求項２】
前記ガイド軸は、前記コイル部の内周に少なくとも２所で接する長円形状の断面に形成し、当該長円断面の長手を、前記溝を形成した両壁に沿う向きにすることを特徴とする請求項１に記載の充電器。
【請求項３】
前記回路基板には前記接続端と嵌め合う取付孔を設けて、前記凹部に前記コイル部を組み付けて当該コイルバネ端子を所定の姿勢に保持し、これらの上側に前記回路基板を組み付けることを特徴とする請求項１または２に記載の充電器。
【発明の詳細な説明】
【技術分野】
【０００１】
本発明は、電池パックや携帯電話機などの充電対象を着脱可能に装着して２次電池に充電を行うような充電器に関するもので、より具体的には、充電対象の電極端子とバネ性により接触させる接触片の組み付け構造の改良に関する。
【背景技術】
【０００２】
この種の充電器は、例えば特許文献１〜３などに見られるように、ケースに形成した装着部に、バネ性の接触片を突き出し状態に配置する構成にする。そして、その装着部に、電池パックや携帯電話機などの充電対象を着脱可能に装着し、接触片を充電対象の電極端子と接触させて２次電池に充電を行うようになっている。
【０００３】
バネ性の接触片は、いわゆるコイルバネを利用した構成が多く用いられている。つまり、コイル部（巻線）から延びる延線部位を適宜に曲げ加工して形成した屈曲部位を接触片とし、ケースに連係する支持軸に、コイル部を嵌め合わせることで組み付けるとともに、電力ライン側と適宜に結線することによりバネ性を有した電極端子にしている。
【０００４】
【特許文献１】特開２００１−１１８６０８号公報
【特許文献２】特開２０００−１９５５６１号公報
【特許文献３】特開平１０−６４５９５号公報
【発明の開示】
【発明が解決しようとする課題】
【０００５】
しかしながら、そうした従来の充電器では以下に示す問題がある。まず、特許文献１に開示された発明では、バネ性の接触片（端子バネ）は下ケースの支持部に直接に装着させるので組み立て性がよくなるものの、配線するためにリード線で基板と接続している。そのため、配線材料が必要で手間がかかる。
【０００６】
特許文献２に開示された発明は、バネ性の接触片（接点）は基板に取り付ける構成であるが、支持体により支持している。そのため、部品点数が増加し、組み立てに手間がかかる。
【０００７】
特許文献３に開示された発明では、バネ性の接触片（接触バネ）は基板に直接的に取り付ける構成なので、部品点数を低減でき、組み立て性も良好にし得る。しかし、コイルバネの位置決めを基板で行なっているため基板のサイズやケースのサイズが大きくなるという問題や、その分コストアップになるという問題がある。
【０００８】
この発明は上記した課題を解決するもので、その目的は、電極端子を構成するバネ性の接触片の組み付けが簡単，容易であり、部品点数を削減することができ、組み立てが容易に行える充電器を提供することにある。
【課題を解決するための手段】
【０００９】
上記した目的を達成するために、本発明に係る充電器は、電池パックや携帯電話機などの充電対象を着脱可能に装着し、バネ性の接触片を前記充電対象の電極端子と接触させて２次電池に充電を行う充電器であって、前記接触片を突き出させるための長孔を前記電極端子との対応位置に有する上ケースと、回路基板と、前記回路基板を組み付けする下ケースと、コイル部の一方端が鉤状の接続端であり他方端に前記接触片を有するコイルバネ端子とを備えて、前記下ケースの底面に前記コイル部を嵌め込む凹部を形成し、前記凹部には、一方の壁に前記コイル部と嵌め合うガイド軸を形成するとともに、前記ガイド軸に隣接する両側の壁に、前記コイル部から延びる延線部位と嵌め合う溝をそれぞれ形成し、前記ガイド軸の外形状が、前記コイル部の内周と非接触部分が生じ、その非接触部分と前記コイル部との間に所定の空間が形成されるように構成した。
【００１０】
また、前記ガイド軸は、前記コイル部の内周に少なくとも２所で接する長円形状の断面に形成し、当該長円断面の長手を、前記溝を形成した両壁に沿う向きにするとよい。さらにまた、前記回路基板には前記接続端と嵌め合う取付孔を設けて、前記凹部に前記コイル部を組み付けて当該コイルバネ端子を所定の姿勢に保持し、これらの上側に前記回路基板を組み付けるようにするとよい。
【００１１】
係る構成にすることにより本発明では、コイルバネ端子のコイル部を下ケースの凹部に嵌め入れることで当該コイルバネ端子を所定の立ち姿勢に保持でき、自立するので保持用の特別な治具がいらない。そして、回路基板を上から組み付けるので、その取付孔にコイルバネ端子の該当部位（接続端）が嵌め合い、これをはんだ付けすればよい。さらに、この製造は下ケースに対して各パーツを上から順に組み付けする作業工程であり、作業工程の流れがよい。
【００１２】
この場合、コイルバネ端子を所定の立ち姿勢に保持することのために、支持部材を個別部品として用意することが不要となり、回路基板に直接に取り付けるので部品点数を削減することができ、コストを低減できる。
【００１３】
また、凹部についてガイド軸および溝を形成しているので、ガイド軸にコイル部が嵌め合うとともに、延線部位が該当溝に嵌め合うので、凹部に組み付けたコイルバネ端子の姿勢の保持を確実に行える。
【００１４】
また、ガイド軸を長円形状の断面として隣接する両壁に沿う向きにすると、隣接する両壁との隙間が広がるので、コイル部をガイド軸へ嵌め合わせしやすく、コイルバネ端子の組み付けが容易になる。
【発明の効果】
【００１５】
本発明に係る充電器では、コイルバネ端子はコイル部を下ケースの凹部に嵌め入れることで所定の立ち姿勢に保持でき、そして、回路基板を上から組み付けるので、その取付孔にコイルバネ端子の該当部位（接続端）が嵌め合い、これをはんだ付けすればよい。このため、保持用治具をセットする工数を減らすことができ、電極端子となるバネ性の接触片の組み付けを簡単，容易に行える。
【００１６】
したがって、コイルバネ端子を所定の立ち姿勢に保持することのために、支持部材を個別部品として用意することが不要となり、回路基板に直接に取り付けることができるので部品点数を削減することができ、組み立てが容易に行えてコスト面に有利となる。
【発明を実施するための最良の形態】
【００１７】
図１は、本発明に係る充電器の好適な一実施の形態を分離して示す斜視図である。本実施の形態において、充電器は、連結して一体にする上ケース１，下ケース２の内部に回路基板３，コイルバネ端子４を組み付けし、上ケース１の上面に形成した装着部１０に、電池パックや携帯電話機などの充電対象を着脱可能に装着し、バネ性の接触片４２を充電対象の電極端子と接触させて２次電池に充電を行う構成になっている。
【００１８】
上ケース１は、上面を大きく窪ませて装着部１０に形成し、その装着部１０の背面に、接触片４２を突き出させるための長孔１１を２つ形成してある。長孔１１，１１は充電対象の電極端子との対応位置に配置している。
【００１９】
下ケース２には、回路基板３を支持するための受け面を形成してあって、回路基板３を所定に組み付けする。そして、下ケース２の底面には凹部２０を形成してあり、その奥部２０にコイルバネ端子４のコイル部４０を嵌め込むようになっている。
【００２０】
凹部２０には、一方の壁にコイル部４０と嵌め合うガイド軸２１を形成するとともに、ガイド軸２１に隣接する両側の壁に、コイル４０部から延びる延線部位と嵌め合う溝２２，２３をそれぞれ形成している。ガイド軸２１は、コイル部４０の内周に少なくとも２所で接する長円形状の断面に形成し、当該長円断面の長手を、溝２２，２３を形成した両壁に沿う向きにする。また、ガイド軸２１の長径は、コイル部４０の内径に対して９０％程度とすることが好ましい。
【００２１】
回路基板３は、所定の回路パターンを形成してあって、コンデンサ３１，電源ジャック３２等の電子部品を所定に実装している。そして、回路基板３には２つの取付孔３０を所定の位置に設けている。これら取付孔３０，３０は電力ラインの電極端部であって、コイルバネ端子４の接続端４１と嵌め合い、はんだ付けにより電気的に接続する構成になっている。
【００２２】
コイルバネ端子４は、バネ性を発現するコイル部４０の両端を延長させて加工してある。そして、一方端は鉤状に曲げ加工して接続端４１とし、他方端は２段に折り曲げて突起形状の接触片４２としてあり、接触片４２が充電対象の電極端子と接触するようになっている。
【００２３】
図２（ａ）〜（ｃ）は、組み立て作業を順に説明する斜視図である。組み立ては、図２（ａ）に示すように、まず、下ケース２の凹部２０に、コイルバネ端子４のコイル部４０を嵌め込み入れてガイド軸２１に嵌め合わせるとともに、延線部位を溝２２，２３に嵌め合わせし、コイル部４０の反発力によりコイルバネ端子４を所定の立ち姿勢に保持する。
【００２４】
次に、図２（ｂ）に示すように、これらの上側に回路基板３を組み付ける。このとき、取付孔３０，３０に接続端４１，４１が嵌め合うので、当該部位をはんだ付けし、これにより電気的に接続する。
そして、図２（ｃ）に示すように、下ケース２に上から上ケース１を被せて組み付けし、このとき、装着部１０の長孔１１から接触片４２が突き出ることになる。
【００２５】
したがって、充電の際は図３に示すように、装着部１０に上方から充電対象５を嵌め込み入れればよく、接触片４２が充電対象５に押されて長孔１１側に押し戻され、最終的に対面する電極端子と接触することになる。
【００２６】
このように、組み立て作業では、コイルバネ端子４はそのコイル部４０を凹部２０に嵌め入れることで所定の立ち姿勢に保持でき、自立するので保持用の特別な治具がいらない。そして、回路基板３を上から組み付けるので、その取付孔３０にコイルバネ端子４の該当部位（接続端４１）が嵌め合い、これをはんだ付けすればよい。このため、保持用治具をセットする工数を減らすことができ、組み立てが容易に行える。さらに、この製造は下ケース２に対して各パーツを上から順に組み付けする作業工程であり、作業工程の流れがよい。
【００２７】
また、ガイド軸２１は、断面が長円形状で隣接する両壁との隙間が広がる設定なので、コイル部４０をガイド軸２１へ嵌め合わせしやすく、コイルバネ端子４の組み付けが容易となる。
【００２８】
この場合、コイルバネ端子４を所定の立ち姿勢に保持することのために、支持部材を個別部品として用意することが不要となり、回路基板３に直接に取り付けるので部品点数を削減することができ、コストを低減できる。
【００２９】
なお、ガイド軸２１については、隣接する両壁との隙間を広くできればよいので、断面形状は長円に限定されなく、例えば下側が半円で上側を尖らせた略三角形状にしてもよい。そして、断面の長手も溝２２，２３を形成した両壁に沿う向きに限らなく、何れかの壁側に傾斜させてもよい。
【００３０】
また、凹部２０については、ガイド軸２１を設けない構成を採ることもよい。つまり、凹部２０はコイル部４０が嵌め合う深さに形成するので、ガイド軸２１を設けなくとも嵌め込み入れたコイル部４０を支持することが可能であり、コイルバネ端子４を立ち姿勢に保持できる。そして次に、この上側に回路基板３を組み付けて接続端４１は取付孔３０にはんだ付けするので、コイルバネ端子４を正しい姿勢に組み付けることができ、コイル部４０の内側に軸がない状態でも、接触片４２にはバネ性が発現することになる。この場合は、ガイド軸２１をなしとするので凹部２０について金型がシンプルになり、その分はコスト面で有利になり下ケース２の成形が容易になる。
【図面の簡単な説明】
【００３１】
【図１】本発明に係る充電器の好適な一実施の形態を分離して示す斜視図である。
【図２】組み立て作業を順に説明する斜視図であり、（ａ）はコイルバネ端子の組み付け作業を示し、（ｂ）は回路基板の組み付け作業を示し、（ｃ）は上ケースの組み付け作業を示している。
【図３】組み立てを完了した充電器の断面図である。
【符号の説明】
【００３２】
１  上ケース
２  下ケース
３  回路基板
４  コイルバネ端子
５  充電対象
１０  装着部
１１  長孔
２０  凹部
２１  ガイド軸
２２，２３  溝
３０  取付孔
３１  コンデンサ
３２  電源ジャック
４０  コイル部
４１  接続端
４２  接触片
【図１】
2006067717.tif 000003
【図２】
2006067717.tif 000004
【図３】
2006067717.tif 000005